(57)【要約】【課題】無線帯域を有効活用できるようにした基地局装置、基地局装置における無線送信方法、及び無線通信システムを提供すること。また、最適な品質のデータを選択して送信できるようにした基地局装置、基地局装置における無線送信方法、及び無線通信システムを提供すること。【解決手段】端末装置と無線通信を行う基地局装置において、前記端末装置に関する第１の統計情報と、第１又は第２の品質のユーザデータに関する第２の統計情報を生成する統計情報生成部と、前記第１及び第２の統計情報に基づいて、前記第１又は第２の品質のユーザデータを選択する品質選択処理部と、選択された前記第１又は第２の品質のユーザデータを前記端末装置に無線送信する無線送信部とを備える。【選択図】図２
2011216950.tif 000002
【特許請求の範囲】
【請求項１】
端末装置と無線通信を行う基地局装置において、
前記端末装置に関する第１の統計情報と、第１又は第２の品質のユーザデータに関する第２の統計情報を生成する統計情報生成部と、
前記第１及び第２の統計情報に基づいて、前記第１又は第２の品質のユーザデータを選択する品質選択処理部と、
選択された前記第１又は第２の品質のユーザデータを前記端末装置に無線送信する無線送信部と
を備えることを特徴とする基地局装置。
【請求項２】
前記統計情報生成部は、前記端末装置に割り当てられた無線リソースの帯域量に関する第１の予測値を前記第１の統計情報とし、前記第１又は第２の品質のユーザデータのデータ量に関する第２の予測値を前記第２の統計情報とすることを特徴とする請求項１記載の基地局装置。
【請求項３】
前記品質選択処理部は、前記第１の統計情報と前記第１の品質のユーザデータに関する第２の統計情報との差分が閾値以上のとき、前記第２の品質のユーザデータを選択し、前記差分が閾値より小さいとき、前記第１の品質のユーザデータを選択することを特徴とする請求項２記載の無線基地局装置。
【請求項４】
前記品質選択処理部は、前記第１の統計情報が前記第１の品質のユーザデータに関する第２の統計情報より大きいとき、前記第１の品質より品質が良い前記第２の品質のユーザデータを選択し、前記第１の統計情報が前記第１の品質のユーザデータに関する第２の統計情報と同じか低いとき、前記第１の品質と品質が同じもしくは前記第１の品質より品質が良くない前記第２の品質のユーザデータを選択することを特徴とする請求項３記載の無線基地局装置。
【請求項５】
前記品質選択処理部は、前記第２の品質のユーザデータを選択して前記第１の品質のユーザデータから前記第２の品質のユーザデータに切り替えるとき、切り替え後の前記第２の品質のユーザデータが属するフレームが、フレーム内符号化により符号化されたフレームとなるように切り替えることを特徴とする請求項１記載の基地局装置。
【請求項６】
前記品質選択処理部は、前記第２の品質のユーザデータを選択して前記第１の品質のユーザデータから前記第２の品質のユーザデータに切り替えるとき、切り替え前の前記第１の品質のユーザデータが属するフレームと切り替え後の前記第２の品質のユーザデータが属するフレームとが連続した時間となるように切り替えることを特徴とする請求項１記載の基地局装置。
【請求項７】
前記基地局装置に接続された上位装置から、前記第１及び第２の品質のユーザデータを含むパケットを更にカプセル化した第１のパケットが出力され、
前記品質選択処理部は、前記第１のパケットに含まれ、前記第１のパケットの送信先を示す前記端末装置を識別するための第１の識別子により、前記第１及び第２の品質のユーザデータを識別し、前記第１又は第２の品質のユーザデータを選択することを特徴とする請求項１記載の基地局装置。
【請求項８】
前記品質選択処理部は、前記端末装置に無線送信するユーザデータを前記上位装置と前記基地局装置との間において識別するための第２の識別子と対応して設定された前記第１の識別子に基づいて前記第１及び第２の品質のユーザデータを識別することを特徴とする請求項７記載の基地局装置。
【請求項９】
端末装置と無線通信を行う基地局装置における無線送信方法であって、
前記端末装置に関する第１の統計情報と、第１又は第２の品質のユーザデータに関する第２の統計情報を生成し、
前記第１及び第２の統計情報に基づいて、前記第１又は第２の品質のユーザデータを選択し、
選択された前記第１又は第２の品質のユーザデータを前記端末装置に無線送信する
ことを特徴とする無線送信方法。
【請求項１０】
端末装置と、上位装置と、前記上位装置に接続され、前記端末装置と無線通信を行う基地局装置とを備える無線通信システムにおいて、
前記上位装置は第１及び第２の品質のユーザデータを前記基地局装置に送信する送信部を備え、
前記基地局装置は、前記端末装置に関する第１の統計情報と、第１又は第２の品質のユーザデータに関する第２の統計情報を生成する統計情報生成部と、前記第１及び第２の統計情報に基づいて、前記第１又は第２の品質のユーザデータを選択する品質選択処理部と、選択された前記第１又は第２の品質のユーザデータを前記端末装置に無線送信する無線送信部とを備えることを特徴とする無線通信システム。
【発明の詳細な説明】
【技術分野】
【０００１】
本発明は、基地局装置、基地局装置における無線送信方法、及び無線通信システムに関する。
【背景技術】
【０００２】
従来から、基地局装置が映像データや音声データ等を含むユーザデータを無線送信し、端末装置がこれを受信してストリーミング再生を行うようにした無線通信システムがある。
【０００３】
かかる無線通信システムに関する技術として、例えば、配信サーバは複数のデータストリームを時間的にずらして受信機に送信し、受信機は第１のデータストリームに伝送エラーが生じたとき時間的に遅れている第２のデータストリームに切り替える技術がある。
【０００４】
また、例えば、ストリーミングプレイヤがストリーミングサーバから送信されたＡランクファイルを再生中、伝送劣化が生じたとき、ランク切替要求をサーバに送信し、サーバはＡランクファイルより品質の低いＢランクファイルを送信する技術もある。
【先行技術文献】
【特許文献】
【０００５】
【特許文献１】特開２００８‐１５４１４５号公報
【特許文献２】特開２００５‐１２１６９３号公報
【発明の概要】
【発明が解決しようとする課題】
【０００６】
しかし、上述のうち、複数のデータストリームを時間的にずらして送信する技術は、複数のデータストリームが無線送信されるため、１つのデータストリームを送信する場合よりも無線帯域が多く使用される。例えば、伝送エラーがない場合でも複数のデータストリームが受信機に送信されるため、データストリームの幾つかは受信機で使用されないこともあり、無線帯域が無駄に使用される場合がある。
【０００７】
また、ストリーミングプレイヤが切替要求を送信する技術は、プレイヤ側のアプリケーションが伝送品質の劣化を検出して初めて切替要求をサーバに送信している。そのため、例えば、プレイヤが切替要求を送信した時点で無線状況に変化が生じていると、サーバが送信するファイルはその変化に対応するものではなく、適切な品質のファイルが送信されない場合もある。例えば、更に伝送劣化が生じたとき、プレイヤは伝送劣化により受信ファイルを再生できず、従ってプレイヤはリアルタイムでスムースに動画を再生できない場合もある。
【０００８】
そこで、本発明の一目的は、無線帯域を有効活用できるようにした基地局装置、基地局装置における無線送信方法、及び無線通信システムを提供することにある。
【０００９】
また、本発明の他の目的は、最適な品質のデータを選択して送信できるようにした基地局装置、基地局装置における無線送信方法、及び無線通信システムを提供することにある。
【課題を解決するための手段】
【００１０】
一態様によれば、端末装置と無線通信を行う基地局装置において、前記端末装置に関する第１の統計情報と、第１又は第２の品質のユーザデータに関する第２の統計情報を生成する統計情報生成部と、前記第１及び第２の統計情報に基づいて、前記第１又は第２の品質のユーザデータを選択する品質選択処理部と、選択された前記第１又は第２の品質のユーザデータを前記端末装置に無線送信する無線送信部とを備える。
【発明の効果】
【００１１】
無線帯域を有効活用できるようにした基地局装置、基地局装置における無線送信方法、及び無線通信システムを提供することができる。また、最適な品質のデータを選択して送信できるようにした基地局装置、基地局装置における無線送信方法、及び無線通信システムを提供することができる。
【図面の簡単な説明】
【００１２】
【図１】図１は無線通信システムの構成例を示す図である。
【図２】図２（Ａ）はユーザデータの流れを説明するための図、図２（Ｂ)はプロトコルスタック例を示す図である。
【図３】図３はＧＴＰ‐Ｕパケットの構成例を示す図である。
【図４】図４（Ａ）及び図４（Ｂ）はＥ‐ＲＡＢ  ＩＤの構成例を示す図である。
【図５】図５（Ａ）は接続例、図５（Ｂ）はプロトコルスタック例を夫々示す図である。
【図６】図６は切り替えタイミングの例を示す図である。
【図７】図７は切り替えタイミングの例を示す図である。
【図８】図８はストリーミングサーバの構成例を示す図である。
【図９】図９はＰＤＮ‐ＧＷ又はＳ‐ＧＷの構成例を示す図である。
【図１０】図１０はＭＭＥの構成例を示す図である。
【図１１】図１１は基地局装置の構成例を示す図である。
【図１２】図１２は端末装置の構成例を示す図である。
【図１３】図１３はスケジューリングの例を示す図である。
【図１４】図１４はスケジューリングの例を示す図である。
【図１５】図１５はスケジューリングの例を示す図である。
【図１６】図１６はＰＨＹフレームの構成例を示す図である。
【図１７】図１７は無線特性とデータ量の区間平均値の推移例を示す図である。
【図１８】図１８は動作例を示すフローチャートである。
【図１９】図１９は基地局装置の他の構成例を示す図である。
【発明を実施するための形態】
【００１３】
以下、本発明を実施するための形態について説明する。
【００１４】
図１は無線通信システム１０の構成例を示す図である。無線通信システム１０は、ユーザ端末装置（UE: User Equipment、以下「端末」）１００と、基地局装置（eNodeB: evolved NodeB、以下「基地局」）２００‐１〜２００‐３と、Ｓ‐ＧＷ（Serving Gateway）３００と、ＰＤＮ‐ＧＷ（Packet Data Network Gateway）４００と、ＰＤＮ（Packet Data Network）５００と、ストリーミングサーバ６００と、ＭＭＥ（Mobility Management Entity）７００と、ＨＳＳ（Home Subscriber Server）８００とを備える。 Ｓ‐ＧＷ３００とＰＤＮ‐ＧＷ４００、ストリーミングサーバ６００、ＭＭＥ７００、及びＨＳＳ８００は、基地局２００‐１〜２００‐３からは上位装置となる。
【００１５】
端末１００は、移動可能で、各基地局２００‐１〜２００‐３と無線通信可能範囲でデータ等を送受信できる。端末１００は、例えば、基地局２００‐１〜２００‐３から送信されたユーザデータに対してストリーミング再生を行うことができる。
【００１６】
基地局２００‐１〜２００‐３は、端末１００に対して無線アクセスしてユーザデータ等を送受信する。また、基地局２００‐１〜２００‐３は、コアネットワーク側のＳ‐ＧＷ３００又はＰＤＮ‐ＧＷ４００との間で、ＧＴＰ‐Ｕプロトコルによるパケットデータ（以下、ＧＴＰ‐Ｕパケット）を送受信する。ＧＴＰ‐Ｕパケットの詳細は後述する。尚、各基地局２００‐１〜２００‐３は、無線側の端末１００に対する無線状況とネットワーク側のユーザデータに対する受信状況とを収集し、同一コンテンツに対する複数品質のユーザデータのうちから最適な品質のユーザデータを選択して端末１００に送信する。詳細は後述する。図１の基地局２００‐１〜２００‐３は３つの基地局２００の例を示しているが、例えば１つでも複数でもよい。
【００１７】
Ｓ‐ＧＷ３００は、ＰＤＮ‐ＧＷ４００から送信されたＧＴＰ‐Ｕパケット等を、ＭＭＥ７００からの接続指示に基づいて、いずれかの基地局２００‐１〜２００‐３に送信する。また、Ｓ‐ＧＷ３００は、各基地局２００‐１〜２００‐３から送信されたＧＴＰ‐Ｕパケット等をＰＤＮ‐ＧＷ４００に送信する。
【００１８】
ＰＤＮ‐ＧＷ４００は、ＰＤＮ５００を介してストリーミングサーバ６００から送信された、ユーザデータを含むＩＰパケットを終端し、ＧＴＰ‐Ｕパケットを生成してＳ‐ＧＷ３００に送信する。また、ＰＤＮ‐ＧＷ４００は、Ｓ‐ＧＷ３００から送信されたＧＴＰ‐Ｕパケットを終端してＩＰパケットを抽出し、ＰＤＮ５００に出力する。尚、ＰＤＮ‐ＧＷ４００は、ストリーミングサーバ６００から送信されたＩＰパケットから、時間情報とフレーム情報とを抽出し、ＧＴＰ‐Ｕパケットに含めて送信する。詳細は後述する。
【００１９】
ＰＤＮ５００は、ＩＰパケット等のパケットデータが転送されるネットワークであり、例えばインターネットである。
【００２０】
ストリーミングサーバ６００は、ユーザデータを記憶し、同一コンテンツであり複数品質のユーザデータをＰＤＮ５００に送信する。ストリーミングサーバ６００は、例えば、ユーザデータをＭＰＥＧ圧縮し、その圧縮率により、高品質、標準品質、低品質の各ユーザデータを送信できる。勿論、品質の数は３つ以外でもよく、複数種類でよい。
【００２１】
ＭＭＥ７００は、基地局２００‐１〜２００‐３、Ｓ‐ＧＷ３００、及びＨＳＳ８００と接続され、各々のインタフェースを介してメッセージ交換を行う。例えば、ＭＭＥ７００は、ＨＳＳ８００に対してユーザの認証、及びサービス情報を交換し、認証のための演算処理等を行う。また、ＭＭＥ７００は、例えば、端末１００に対する接続要求を基地局２００‐１〜２００‐３から受信したとき、どの基地局２００‐１〜２００‐３と接続するかの接続指示をＳ‐ＧＷ３００に出力する。更に、ＭＭＥ７００は、ＥＰＳベアラＩＤとＥ‐ＲＡＢ  ＩＤを発行し、Ｓ‐ＧＷ３００と基地局２００‐１〜２００‐３に出力する。このＥ‐ＲＡＢ  ＩＤには、各品質のユーザデータに対応して、各々ＴＥＩＤ（Tunnel Endpoint Identifier）が設定される。このＴＥＩＤにより、基地局２００‐１〜２００‐３は品質を識別できる。ＥＰＳベアラＩＤ等の詳細は後述する。
【００２２】
ＨＳＳ８００は、加入者情報とサービス情報等を保持し、ＭＭＥ７００とのメッセージ交換によりユーザの認証等を行う。
【００２３】
次に、このように構成された無線通信システム１０において、ユーザデータの流れについてまず説明する。図２（Ａ）は複数品質のユーザデータが送信される例、同図（Ｂ）はプロトコルスタックの例を夫々示す図である。
【００２４】
図２（Ａ）に示すように、ストリーミングサーバ６００は、同一のユーザデータに対して、例えば、高品質、標準、及び低品質のユーザデータを送信する。ストリーミングサーバ６００は、図２（Ｂ）に示すように、ＲＴＰ（Real Time Protocol）によるタイムスタンプ（又は時間情報）を送信する。また、ストリーミングサーバ６００は、ＭＰＥＧによる圧縮処理を行った場合、当該フレームがＩフレーム（Intra-coded Frame）、Ｂフレーム（Bi-directional Predicted Frame）、又はＰフレーム（Predicted Frame）かの種別を示すフレーム情報を送信する。ストリーミングサーバ６００は、例えば、タイムスタンプとフレーム情報とをＩＰパケットのヘッダに、ユーザデータをペイロードに含めて送信する。
【００２５】
尚、Ｉフレームは、例えば、入力画像と予測画像との差分画像が符号化されるフレーム間予測を用いた圧縮技術（例えば、ＭＰＥＧ２など）において、当該フレーム内の情報を用いて符号化（又はフレーム内符号化により符号化）されたフレームである。また、例えば、Ｐフレームは前方向予測を用いて符号化されたフレーム、Ｂフレームは前方向予測、後方向予測、又は両方向予測のいずれかを用いて符号化されたフレームである。
【００２６】
ＰＤＮ‐ＧＷ４００は、３つの品質のユーザデータ等を受信すると、ＩＰパケットを更にパケット化（又はカプセリング、或いはトンネリング）し、ＧＴＰ‐Ｕパケットを生成する。ＰＤＮ‐ＧＷ４００は、ＧＴＰ‐Ｕパケットを生成する際に、例えば、ＩＰパケットのヘッダに含まれるタイムスタンプとフレーム情報とを抽出し、ＧＴＰ‐Ｕパケットのヘッダに時間情報とフレーム情報とを含めて送信する。
【００２７】
図３はＧＴＰ‐Ｕパケットの例を示す図である。図３に示すように、ＧＴＰ‐Ｕパケットのヘッダには、時間情報とフレーム情報とを挿入できる領域があり、ＰＤＮ‐ＧＷ４００は、時間情報とフレーム情報とを当該領域に挿入して送信する。尚、フレーム情報は、例えば、ＧＴＰ‐Ｕパケットに含まれるフレームがＩフレームか否かを示す情報である。また、ＰＤＮ‐ＧＷ４００はタイムスタンプを抽出せず、その代わりにＧＴＰ‐Ｕヘッダのシーケンシャル番号（ＳＮ）を時間情報として送信してもよい。
【００２８】
更に、ＧＴＰ‐Ｕパケットのヘッダには、更にＴＥＩＤを挿入できる領域がある。ＰＤＮ‐ＧＷ４００は、予めＭＭＥ７００からＥ‐ＲＡＢ  ＩＤを受信しており、当該Ｅ‐ＲＡＢ  ＩＤに含まれるＴＥＩＤを用いて、ユーザデータの品質毎に異なるＴＥＩＤを当該ヘッダに挿入して送信する。例えば、ＰＤＮ‐ＧＷ４００は、高品質のユーザデータに対しては、ＴＥＩＤとして「１」をヘッダに含めて送信する。これにより、基地局２００はＴＥＩＤにより品質の種別を識別できる。尚、ＰＤＮ‐ＧＷ４００等は、どのＴＥＩＤがどの品質に対応するかの情報はルールとして共有されているものとする。また、ＰＤＮ‐ＧＷ４００は、ストリーミングサーバ６００から送信される各品質のユーザデータに対して、例えば、圧縮率等により品質を識別し、識別した品質に対応するＴＥＩＤを選択できるものとする。そのため、ストリーミングサーバ６００は、例えば、圧縮率の情報もＰＤＮ‐ＧＷ４００に送信する。
【００２９】
Ｓ‐ＧＷ３００は、ＰＤＮ‐ＧＷ４００から送信されたＧＴＰ‐Ｕパケットを基地局２００に転送する。
【００３０】
尚、ＧＴＰ‐Ｕパケットへの変換はＳ‐ＧＷ３００で行われてもよい。その場合、ＰＤＮ‐ＧＷ４００はＩＰパケットをＳ‐ＧＷ３００に転送する。
【００３１】
基地局２００は、複数品質のユーザデータを受信すると、端末１００との間の無線リンクにおける無線状況とＳ‐ＧＷ３００等のコアネットワーク側におけるユーザデータの受信状況とに関して、各々の統計情報を収集する。そして、基地局２００は、当該統計情報に基づいて最適な品質のユーザデータを選択する。詳細は後述する。
【００３２】
次に、ＥＰＳベアラＩＤ等について説明する。上述したように、例えばＭＭＥ７００がＥＰＳベアラＩＤを設定し、Ｓ‐ＧＷ３００と、Ｓ‐ＧＷ３００を介してＰＤＮ‐ＧＷ４００、及び基地局２００に送信する。ＥＰＳベアラＩＤは、例えば、（ユーザ）データ毎に割り当てられる識別子である。例えば、ある映像データに対してＥＰＳベアラＩＤが設定され、他の映像データには別のＥＰＳベアラＩＤが設定される。
【００３３】
このＥＰＳベアラＩＤに対応して、ＰＤＮ‐ＧＷ４００（又はＳ‐ＧＷ３００）と基地局２００との間においてＥ‐ＲＡＢ  ＩＤが設定され、基地局２００と端末１００との間にＤＲＢ  ＩＤ（Data Radio Bearer ID）が設定される。Ｅ‐ＲＡＢ  ＩＤもＤＲＢ  ＩＤも、ＥＰＳベアラＩＤと同様に、例えば、ユーザデータを識別するＩＤであり、各々の区間においてユーザデータを識別するＩＤとなっている。例えば、ＥＰＳベアラＩＤとＥ‐ＲＡＢ  ＩＤはＭＭＥ７００が発行し、ＤＲＢ  ＩＤは基地局２００が発行する。
【００３４】
図４（Ａ）及び同図（Ｂ）は、Ｅ‐ＲＡＢ  ＩＤの構成例を示す図である。Ｅ‐ＲＡＢ  ＩＤは、ユーザデータ（又は端末１００におけるストリーミング再生されるコンテンツ）のＱｏＳ（Quality of Service）を示すパラメータを含み、更に、高品質、標準品質、低品質に対応して夫々異なるＴＥＩＤを含む。同図（Ｂ）に示すように、例えば、ＴＥＩＤが「１」は高品質、「５」は標準品質、「６」は低品質のユーザデータに夫々対応する。例えば、ＭＭＥ７００は、このようなＥ‐ＲＡＢ  ＩＤを生成し、基地局２００とＳ‐ＧＷ３００、更にＳ‐ＧＷ３００を介してＰＤＮ‐ＧＷ４００に送信する。
【００３５】
尚、ＴＥＩＤは、例えば、ＧＴＰ‐Ｕパケットの宛先（又は送信先）を示す端末１００を識別する識別子である。２つのＧＴＰ‐Ｕパケットが夫々異なるＴＥＩＤを有するとき、ＧＴＰ‐Ｕパケットは夫々異なる端末１００に送信される。しかし、図４（Ａ）等に示すＥ‐ＲＡＢ  ＩＤとの括り付けにより、基地局２００はＩＰパケットを同一の端末２００（同一のＥ‐ＲＡＢ  ＩＤ）に送信することができる。
【００３６】
図５（Ａ）及び同図（Ｂ）は、端末１００からＨＳＳ８００までの接続関係と、プロトコルスタックの例とを夫々示す図である。同図（Ｂ）に示すように、ＭＭＥ７００は、例えばＳ１インタフェースを用いてＥ‐ＲＡＢ  ＩＤを基地局２００に送信する。ＭＭＥ７００は、同様に、例えばＳ１インタフェースを用いてＥ‐ＲＡＢ  ＩＤとＥＰＳベアラＩＤとをＳ‐ＧＷ３００に送信する。
【００３７】
図２（Ａ）に戻り、基地局２００は、上述したように最適な品質のユーザデータを選択する。このとき、基地局２００は異なる品質のユーザデータに切り替える場合もある。
【００３８】
この場合、基地局２００は、ユーザデータがＭＰＥＧにより圧縮されていれば、ＧＯＰ（Group Of Picture）の最後のフレームであるＰフレーム（Predicted Frame）と、次のＧＯＰにおける最初のフレームであるＩフレーム（Intra-coded Frame）との間のタイミングで切り替えを行う。図６は切り替えタイミングの例を示す図である。ＭＰＥＧの場合、ＧＯＰ（Group Of Picture）単位で圧縮等がなされており、Ｉフレームは前後のフレームを利用することなく伸張できるからである。このため、基地局１００は、例えばＧＴＰ‐Ｕヘッダのフレーム情報を利用して、Ｉフレームか否かを検出することで、当該タイミングで切り替えを行うことができる。例えば、Ｐフレームは、ＭＰＥＧ符号化処理において前方向予測を用いて符号化されるフレームであり、Ｂ（Bi-directional Predicted Frame）フレームは、前方向予測、後方向予測、又は両方向予測のいずれかを選択して符号化されたフレームである。また、Ｉフレームは、例えば、フレーム間予測を用いずに符号化されるフレームである。
【００３９】
また、基地局２００は、品質の切り替えを行うとき、フレームが時間的に連続するように切り替えることが望ましい。図７はＧＯＰと切り替えタイミングの例を示す図である。同図に示すように、例えば、Ｌ１で示されたＩフレームの時刻が「９時０分０秒」で、Ｌ２で示されたＩフレームの時刻が「９時０分２秒」、Ｌ３で示されたＩフレームの時刻が「９時０分４秒」とする。ストリーミングサーバ６００から基地局２００までに転送される間にパケットの遅延等により、ＧＯＰの順序が入れ替わる場合もある。例えば、基地局２００はＬ３のＩフレームをＬ２のＩフレームよりも時間的に先に受信する場合もある。そこで、基地局２００は、ネットワーク側におけるフレーム順序（又はパケット順序）の入れ替えを考慮して、例えば、ＧＴＰ‐Ｕパケットのヘッダに挿入された時間情報を参照して切り替えを行う。例えば、基地局２００は、切り替え前後のフレームの時間情報が連続しているか否かを検出し、連続していればそのまま送信し、連続していなければ連続するように順序を入れ替えて送信する。
【００４０】
次に、ストリーミングサーバ６００から端末１００までの構成例を説明する。図８から図１２は各構成例を示す図である。
【００４１】
図８はストリーミングサーバ６００の構成例を示す図である。ストリーミングサーバ６００は、コンテンツデータ記憶部６１０と、フレーム構成部６１１と、ＲＴＰ／ＵＤＰ処理部６１２とを備える。
【００４２】
コンテンツデータ記憶部６１０はユーザデータ（又はコンテンツデータ）を記憶する。
【００４３】
フレーム構成部６１１は、コンテンツデータ記憶部６１０からユーザデータを読み出し、フレームを作成する。例えば、フレーム構成部６１１は、ユーザデータに対してＭＰＥＧ圧縮を行い、圧縮率の小さい順に同一のコンテンツのユーザデータを圧縮することで、高品質、標準品質、低品質の各ユーザデータを生成する。フレーム構成部６１１は、圧縮しないユーザデータを高品質のユーザデータとして出力してもよい。フレーム構成部６１１は、圧縮等したユーザデータをＲＴＰ／ＵＤＰ処理部６１２に出力する。フレーム構成部６１１は、例えば圧縮率の情報も出力し、ユーザデータの属するフレームが、例えば、Ｉフレームか、Ｂフレームか、Ｐフレームかを示すフレーム情報も出力する。一方、フレーム構成部６１１は、ＲＴＰ／ＵＤＰ処理部６１２から出力されたフレームに含まれる圧縮されたユーザデータをＭＰＥＧ復号等し、コンテンツ記憶部６１０に記憶する。
【００４４】
ＲＴＰ／ＵＤＰ処理部６１２は、例えば、ＲＴＰプロトコル、又はＵＤＰプロトコルのＩＰパケットを生成し、ＰＤＮ‐ＧＷ４００に送信する。例えば、ＲＴＰ／ＵＤＰ処理部６１２は、ＩＰパケットのヘッダに、フレーム情報、圧縮率、更に時間情報としてＲＴＰプロトコルによるタイムスタンプを含めて送信する。ＲＴＰ／ＵＤＰ処理部６１２は、ＩＰパケットをＳＧiインタフェースに従うＳＧｉ送信データに変換してＰＤＮ‐ＧＷ４００に送信する。一方、ＲＴＰ／ＵＤＰ処理部６１２は、ＰＤＮ‐ＧＷ４００から送信されたＳＧｉ送信データを受信してＩＰパケットに変換し、当該ＩＰパケットに含まれるユーザデータ等を抽出して、フレーム構成部６１１に出力する。
【００４５】
図９はＰＤＮ‐ＧＷ４００の構成例を示す。ただし、本実施例では、ＰＤＮ‐ＧＷ４００とＳ‐ＧＷ３００は同一の構成でもよいし、図９に示す構成例がＰＤＮ‐ＧＷ４００とＳ‐ＧＷ３００とを双方含む構成であってもよい。
【００４６】
ＰＤＮ‐ＧＷ４００は、ＳＧｉ受信データ識別部４１０と、品質分離処理部４１１と、時間情報処理部４１２と、フレーム認識部４１３と、ＧＴＰ‐Ｕ処理部４１４と、Ｓ５送信データ処理部４１５と、Ｓ５受信データ識別部４２０と、ＧＴＰ‐Ｕ処理部４２１と、ＳＧｉ送信データ処理部４２２と、Ｓ１１送受信データ処理部３１０とを備える。
【００４７】
ＳＧｉ受信データ識別部４１０は、受信データがストリーミングサーバ６００から送信されたＳＧｉ受信データか否かを識別し、ＳＧｉ受信データのときＩＰパケットに変換して品質分離処理部４１１に出力する。一方、ＳＧｉ受信データ識別部４１０は、受信データがＳＧｉ受信データでないとき、当該受信データを例えば終端させる。
【００４８】
品質分離処理部４１１は、ＩＰパケットに含まれるユーザデータの品質を識別する。例えば、品質分離処理部４１１は、ＩＰパケットのヘッダ等に含まれる圧縮率の情報から品質を識別し、当該品質を分離する。例えば、品質分離処理部４１１は、圧縮率の小さい順に高品質、標準品質、低品質と識別する。品質分離処理部４１１は、例えば識別した品質を、受信したＩＰパケットとともに時間情報処理部４１２に出力する。
【００４９】
時間情報処理部４１２は、受信したＩＰパケットに含まれる時間情報を抽出する。例えば、時間情報処理部４１２は、当該ＩＰパケットのヘッダに含まれるタイムスタンプを抽出し、当該ＩＰパケットとともにフレーム認識部４１３に出力する。
【００５０】
フレーム認識部４１３は、受信したＩＰパケットに含まれるユーザデータの属するフレームを認識する。例えば、フレーム認識部４１３は当該ＩＰパケットのヘッダに含まれるフレーム識別情報（Ｉフレームか、Ｐフレームか、Ｂフレームかを示す情報）を当該ＩＰパケットとともにＧＴＰ‐Ｕ処理部４１４に出力する。
【００５１】
ＧＴＰ‐Ｕ処理部４１４は、品質分離処理部４１１で分離された品質と、時間情報処理部４１２で抽出された時間情報と、フレーム認識部４１３で認識されたフレーム情報、及び受信したＩＰパケットとを入力する。そして、ＧＴＰ‐Ｕ処理部４１４は、受信したＩＰパケットを更にパケット化（トンネリング化又はカプセリング化）してＧＴＰ‐Ｕパケットを生成する。
【００５２】
このとき、ＧＴＰ‐Ｕ処理部４１４は、Ｅ‐ＲＡＢ  ＩＤに含まれるＴＥＩＤを用いて、ＩＰパケットに含まれるユーザデータの各品質と対応させる。ＧＴＰ‐Ｕ処理部４１４は、予めＭＭＥ７００で生成されたＥ‐ＲＡＢ  ＩＤをＭＭＥ７００からＳ‐ＧＷ３００を介して受信している。そのため、ＧＴＰ‐Ｕ処理部４１４は、このＥ‐ＲＡＢ  ＩＤに含まれるＴＥＩＤを用いることができる。
【００５３】
例えば、ＧＴＰ‐Ｕ処理部４１４は、品質分離処理部４１１からの品質が高品質であるとき、ＴＥＩＤとして「１」（例えば、図４（Ｂ)参照）を割り当てる。また、ＧＴＰ‐Ｕ処理部４１４は、品質が標準品質のときＴＥＩＤとして「５」を割り当て、低品質のときＴＥＩＤとして「６」を割り当てる。ＧＴＰ‐Ｕ処理部４１４は、割り当てたＴＥＩＤをＧＴＰ‐Ｕパケットのヘッダに挿入する（例えば、図３参照）。
【００５４】
更に、ＧＴＰ‐Ｕ処理部４１４は、時間情報処理部４１２からの時間情報と、フレーム認識部４１３からのフレーム情報とをＧＴＰ‐Ｕパケットのヘッダに挿入する。例えば、ヘッダに挿入されるフレーム情報は、例えば、当該フレームがＩフレームか否かを示すフレーム情報である。勿論、ＧＴＰ‐Ｕ処理部４１４は、ヘッダにＩ，Ｂ，Ｐの各フレームを識別するフレーム情報を挿入してもよい。
【００５５】
すなわち、ＧＴＰ‐Ｕ処理部４１４は、例えば、フレーム情報と時間情報、更に各品質に対応したＴＥＩＤとを含むＧＴＰ‐Ｕヘッダを生成し、当該ヘッダを含むＧＴＰ‐ＵパケットをＳ５送信データ処理部４１５に出力する。
【００５６】
Ｓ５送信データ処理部４１５は、ＧＴＰ‐ＵパケットをＳ５インタフェースに従うデータに変換し、Ｓ５送信データとしてＳ‐ＧＷ３００に送信する。
【００５７】
Ｓ５受信データ識別部４２０は、受信データがＳ‐ＧＷ３００から送信されたＳ５送信データか否かを識別する。例えば、Ｓ５受信データ識別部４２０は、受信データがＳ５送信データのときＳ５送信データをＧＴＰ‐Ｕパケットに変換し、そうでないとき当該受信データを終端させる。
【００５８】
ＧＴＰ‐Ｕ処理部４２１は、Ｓ５受信データ識別部４２０から出力されたＧＴＰ‐Ｕパケットに対して、例えばデカプセリング化を行ってＩＰパケットを抽出する。ＧＴＰ‐Ｕ処理部４２１は抽出したＩＰパケットをＳＧi送信データ処理部４２２に出力する。
【００５９】
ＳＧｉ送信データ処理部４２２は、ＩＰパケットをＳＧiインタフェースに従うデータに変換し、ＳＧｉ送信データとしてストリーミングサーバ６００に送信する。
【００６０】
一方、図９がＳ‐ＧＷ３００の構成例のとき、更に、Ｓ１１送受信データ処理部３１０と、Ｓ５受信データ識別部４１０と、Ｓ１送信データ処理部４１５と、Ｓ１受信データ識別部４２０と、Ｓ５送信データ処理部４２２とを備える。
【００６１】
Ｓ１１送受信データ処理部３１０は、ＭＭＥ７００との間でメッセージを交換する。例えば、Ｓ１１送受信データ処理部３１０は、ＭＭＥ７００で発行されたＥＰＳベアラＩＤとＥ‐ＲＡＢ  ＩＤとを受信する。Ｓ１１送受信データ処理部３１０は、抽出したＥＰＳベアラＩＤとＥ‐ＲＡＢ  ＩＤとをＳ５インタフェースに従うデータに変換して、Ｓ５送信データとしてＰＤＮ‐ＧＷ４００に送信する。ＰＤＮ‐ＧＷ４００のＳ５受信データ識別部４２０は、これを受信し、ＧＴＰ‐Ｕ処理部４１４に出力する。これにより、ＰＤＮ‐ＧＷ４００のＧＴＰ‐Ｕ処理部４１４は、Ｅ‐ＲＡＢ  ＩＤを受信し、ＴＥＩＤを用いることができる。Ｓ‐ＧＷ３００にＧＴＰ‐Ｕ処理部４１４を備えるときも同様にＳ１１送受信データ処理部３１０から出力されたＥ‐ＲＡＢ  ＩＤによりＴＥＩＤを用いることができる。
【００６２】
Ｓ５受信データ識別部４１０は、受信データがＰＤＮ‐ＧＷ４００から送信されたＳ５送信データか否かを識別し、Ｓ５送信データのとき品質分離処理部４１１（又はＳ１送信データ処理部４１５）に出力し、Ｓ５送信データでないとき、例えば受信データを終端させる。
【００６３】
Ｓ１送信データ処理部４１５は、ＧＴＰ‐Ｕ処理部４１４（又はＳ５受信データ識別部４１０）から出力されたＧＴＰ‐Ｕパケットに対してＳ１インタフェースに従うデータに変換し、Ｓ１送信データとして基地局２００に送信する。
【００６４】
Ｓ１受信データ識別部４２０は、受信データが基地局２００から送信されたＳ１送信データか否かを識別し、受信データがＳ１送信データのときは当該受信データをＧＴＰ‐Ｕ処理部４２１に出力し、そうでないとき、例えば当該受信データを終端させる。
【００６５】
Ｓ５送信データ処理部４２２は、ＧＴＰ‐Ｕ処理部４２１から出力されたＧＴＰ‐ＵパケットをＳ５インタフェースに従うＳ５送信データに変換してＰＤＮ‐ＧＷ４００に送信する。
【００６６】
尚、Ｓ‐ＧＷ３００は、ＧＴＰ‐Ｕ処理部４１４とフレーム認識部４１３、時間情報処理部４１２、品質分離処理部４１１、及びＧＴＰ‐Ｕ処理部４２１を備えなくてもよい。この場合、Ｓ‐ＧＷ３００は、Ｓ５受信データ識別部４１０から出力されたＧＴＰ‐ＵパケットをＳ１送信データ処理部４１５に入力させ、Ｓ１送信データとして基地局２００に送信する。また、Ｓ‐ＧＷ３００は、Ｓ１受信データ識別部４２０から出力されたＧＴＰ‐ＵパケットをＳ５送信データ処理部４２２に入力させ、Ｓ５送信データとしてＰＤＮ‐ＧＷ４００を送信する。
【００６７】
図１０はＭＭＥ７００の構成例を示す図である。ＭＭＥ７００は、Ｓ６ａ送受信データ処理部７１０と、認証・サービス処理部７１１と、メッセージ構成部７１２と、ベアラ処理部７１３と、Ｓ１１送受信データ処理部７１４と、移動管理処理部７１５と、Ｓ１送受信データ処理部７１６と、データ記憶部７２０とを備える。
【００６８】
Ｓ６ａ送受信データ処理部７１０は、ＨＳＳ８００との間でメッセージを交換する。Ｓ６ａ送受信データ処理部７１０は、Ｓ６ａインタフェースに従うＳ６ａ送信データを受信し、認証・サービス処理部７１１から出力されたデータ等をＳ６ａ送信データとしてＨＳＳ８００に出力する。
【００６９】
認証・サービス処理部７１１は、例えば、ＨＳＳ８００から送信された認証等のデータに対して、データ記憶部７２０に記憶された設定データ又はユーザ管理データ等に基づいて、認証又はサービスを行うための演算処理等を行う。
【００７０】
メッセージ構成部７１２は、例えばデータ記憶部７２０に記憶されたユーザ管理データ等に基づいて、ＨＳＳ８００、基地局２００、又はＳ‐ＧＷ３００と交換するメッセージを生成する。
【００７１】
ベアラ処理部７１３は、ＥＰＳベアラＩＤとＥ‐ＲＡＢ  ＩＤとを生成し、例えば、２つのＩＤをＳ１１送受信データ処理部７１４に出力し、Ｅ−ＲＡＢ  ＩＤを移動管理処理部７１５に出力する。ベアラ処理部７１３は、例えば図４（Ｂ）に示すように、複数品質に対応するＴＥＩＤを含むＥ‐ＲＡＢ  ＩＤを出力する。
【００７２】
Ｓ１１送受信データ処理部７１４は、Ｓ‐ＧＷ３００とメッセージを交換する。例えば、Ｓ１１送受信データ処理部７１４は、ＥＰＳベアラＩＤとＥ‐ＲＡＢ  ＩＤとをＳ１１フォーマットに従うＳ１１送信データに変換して送信する。これにより、Ｅ‐ＲＡＢ‐ＩＤは、Ｓ‐ＧＷ３００、及びＰＤＮ‐ＧＷ４００に送信される。
【００７３】
移動管理処理部７１５は、端末１００の移動を管理し、例えば、端末１００の移動元の基地局２００はどの基地局か、又は移動先の基地局２００はどの基地局か等を管理する。また、移動管理処理部７１５は、ベアラ処理部７１３から出力されたＥ‐ＲＡＢ  ＩＤをＳ１送受信データ処理部７１６に出力する。
【００７４】
Ｓ１送受信データ処理部７１６は、基地局２００との間でメッセージを交換する。例えば、Ｓ１送受信データ処理部７１６は、移動管理処理部７１５から出力されたＥ‐ＲＡＢ  ＩＤをＳ１ＡＰフォーマットのＳ１送信データに変換して、基地局２００に送信する。これにより、基地局２００は、Ｅ‐ＲＡＢ  ＩＤに含まれるＴＥＩＤを受信でき、品質を識別できる。
【００７５】
データ記憶部７２０は、認証等の演算を行うための各種設定データとユーザに関する管理データと保持する。
【００７６】
図１１は基地局２００の構成例を示す図である。基地局２００は、Ｓ１受信データ識別部２１０と、Ｓ１ＡＰ処理部２１１と、ＧＴＰ‐Ｕ処理部２１２と、時間情報抽出部２１３と、ユーザデータバッファ部２１４と、フレーム認識部２１５と、ストリーミング帯域統計情報収集部２１６と、Ｕｕ受信データ識別部２２０と、無線信号処理部２２１と、端末無線設定情報部２２２と、端末無線状況把握部２２４と、品質選択処理部２２５と、ＰＨＹフレーム作成部２２６と、Ｕｕ送信データ処理部２３６とを備える。
【００７７】
Ｓ１受信データ識別部２１０は、受信データがＳ１フォーマットに従うＳ１受信データか否かを識別する。Ｓ１受信データ識別部２１０は、例えば、受信データがＳ１受信データであって、Ｓ‐ＧＷ３００から出力された受信データのとき、当該Ｓ１受信データをＧＴＰ‐Ｕパケットに変換して、ＧＴＰ‐Ｕ処理部２１２に出力する。また、Ｓ１受信データ識別部２１０は、受信データがＳ１受信データ、かつ、ＭＭＥ７００から送信されたＳ１受信データのとき当該受信データをＳ１ＡＰ処理部２１１に出力する。例えば、Ｓ１受信データ識別部２１０は、受信データがＳ１受信データでないとき当該受信データを終端させる。
【００７８】
Ｓ１ＡＰ処理部２１１は、Ｓ１ＡＰプロトコルのＳ１受信データから各種信号等を抽出し、無線信号処理部２２１に出力する。例えば、Ｓ１ＡＰ処理部２１１は、ＭＭＥ７００で発行されたＥ‐ＲＡＢ  ＩＤを抽出する。抽出されたＥ‐ＲＡＢ  ＩＤは、例えば、無線信号処理部２２１、端末無線状況把握部２２４を介して品質選択処理部２２５に出力され、これにより品質選択処理部２２５はどのＴＥＩＤがどの品質に対応するかを識別できる状態となる。また、Ｓ１ＡＰ処理部２１１は、無線信号処理部２２１から出力された無線信号をＳ１ＡＰプロトコルのＳ１送信データに変換し、Ｓ１送信データ処理部２３０に出力する。
【００７９】
ＧＴＰ‐Ｕ処理部２１２は、例えば、ＧＴＰ‐Ｕパケットをデカプセリング化してＩＰパケットを抽出し、抽出したＩＰパケットからユーザデータを抽出して時間情報抽出部２１３とストリーミング帯域統計情報収集部２１６に出力する。また、ＧＴＰ‐Ｕ処理部２１２は、例えば、ＧＴＰ‐Ｕパケットのヘッダを時間情報抽出部２１３とフレーム認識部２１５に出力する。
【００８０】
時間情報抽出部２１３は、ＧＴＰ‐Ｕヘッダから時間情報を抽出し、ユーザデータとともにユーザデータバッファ部２１４に出力する。時間情報抽出部２１３は、例えば、ＧＴＰ‐ＵヘッダのＳＮ番号を抽出して時間情報として出力、又は当該ヘッダに挿入された時間情報（例えば、図３参照）を抽出して出力する。
【００８１】
ユーザデータバッファ部２１４は、ユーザデータと時間情報とを一時記憶する。ユーザデータが一時記憶されるのは、例えば、品質選択処理部２２５においてＰフレームとＩフレームとの間で品質の切り替えが行われ、時間的に連続したフレームが送信されるようにするためである。ユーザデータバッファ部２１４は、同一コンテンツの複数品質に夫々対応するユーザデータを記憶し、更に、例えば各品質にＴＥＩＤもユーザデータとともに記憶する。これにより、例えば、品質選択処理部２２５は、ユーザデータバッファ部２１４から読み出されるユーザデータの品質を識別できる。
【００８２】
フレーム認識部２１５は、ＧＴＰ‐Ｕヘッダからフレーム情報を抽出し、ＧＴＰ‐Ｕパケットに含まれるユーザデータがＩフレームに属するものか否かを識別し、その結果を品質選択処理部２２５に出力する。例えば、フレーム認識部２１５は、図３に示すＧＴＰ‐ＵヘッダからＩフレームか否かを示すフレーム情報を抽出する。
【００８３】
ストリーミング帯域統計情報収集部２１６は、ＧＴＰ‐Ｕ処理部２１２から出力された各品質のユーザデータに対して統計情報を夫々収集し、ストリーミング帯域統計情報を夫々作成する。例えば、ストリーミング帯域統計情報収集部２１６は、所定時間又はフレーム時間におけるユーザデータの帯域量（又はデータ量、例えば、bit per second）を測定し、区間平均値を演算等することでストリーミング帯域統計情報を作成する。例えば、ストリーミング帯域統計情報収集部２１６は、ＧＴＰ‐Ｕ処理部２１２から出力されたＴＥＩＤに基づいて、各品質のストリーミング帯域統計情報を作成する。かかる統計情報の詳細は後述する。尚、ユーザデータの帯域量の区間平均値の時間推移をグラフで示すと、例えば図１７のように示すことができる。図１７の詳細は後述するが、例えば高品質の区間平均値は２点鎖線、標準品質の区間平均値は破線、低品質の区間平均値は点線で夫々示すことができる。
【００８４】
Ｕｕ受信データ識別部２２０は、受信した受信データが端末１００から送信されたＵｕ受信データ（又は無線信号）か否かを識別し、受信データがＵｕ受信データのとき当該Ｕｕ受信データをＰＨＹフレーム作成部２２６に出力する。例えば、Ｕｕ受信データ識別部２２０は、受信データがＵｕ受信データでないとき当該受信データを終端させる。
【００８５】
無線信号処理部２２１は、ＰＨＹフレーム作成部２２５において端末無線割当部２２３により端末２００に対して割り当てられた無線リソースの無線信号が抽出されるため、当該抽出された無線信号を入力する。無線信号処理部２２１は、入力された無線信号に対して、例えば復号化処理、復調処理等を行う。無線信号処理部２２１は、例えば、端末無線設定情報部２２２に記憶された各端末１００の能力情報（例えば、ＭＩＭＯ送受信ができる端末か否か、変調方式が６４ＱＡＭまで可能か否か等）に基づいて各種処理を行う。また、無線信号処理部２２１は、復調後のユーザデータをＳ１ＡＰ処理部２１１に出力し、復調後の無線品質情報を端末無線状況把握部２２４に出力する。無線品質情報は、端末１００で測定されたもので、例えば、ＣＱＩ（Channel Quality Indicator）、ＰＭＩ（Precoding Matrix Indicator）、又はＲＩ（Rank Indicator）などがある。
【００８６】
端末無線割当部２２３は、端末１００に対してスケジューリングを行い、端末１００が無線通信を行うときの無線リソースの割り当てを行う。例えば、端末無線割当部２２３は、無線信号処理部２２１から、端末無線状況把握部２２４を介して無線品質情報を取得し、この無線品質情報に基づいてスケジューリングを行う。
【００８７】
図１３〜図１５は端末無線割当部２２３におけるスケジューリング（又は端末選択のアルゴリズム）の例を示す図である。例えば図１３に示すように、端末無線割当部２２３は、無線品質情報としてＣＱＩ、ＰＭＩ、又はＲＩ等を入力する。そして、端末無線割当部２２３は、ＣＱＩ等に基づいて、無線品質が閾値よりも良いことを示しているとき、高スループットが望めるため、例えば変調方式をＱＰＳＫにする。また、端末無線割当部２２３は、無線品質が閾値より悪いことを示しているとき、低スループットしか望めないため、例えば変調方式を１６ＱＡＭ等にすることもできる。
【００８８】
一方、図１４に示すように、端末無線割当部２２３は、基地局２００配下の複数の端末１００‐１，…に対して、端末数が「１００」のときと「１０」のときとで１つの端末１００に割り当てる帯域量は異なる。例えば、端末数が「１００」のとき、１つの端末１００に割り当てられる帯域量は端末数が「１０」のときよりも少なくなる。一方、端末数が「１０」のとき、１つの端末１００に割り当てられる帯域量は、端末数が「１００」のときと比較して多くなる。
【００８９】
図１５は、上述したことを考慮したスケジューリングの例を示す図である。例えば、端末無線割当部２２３は、ある時間「Ａ」内では、端末数「１００」に対して割り当てを行うため、１つの端末１００に割り当てられる帯域は端末数が「１０」のときと比較して少なくなる。しかし、端末１００に対する無線品質は閾値よりも良いため、悪い場合と比較して高いスループットが可能となる。このような場合、端末無線割当部２２３は公平性等を考慮して１つの端末１００に割り当てる帯域は閾値よりも少なくさせる。また、時間「Ｂ」のときは、端末数が「１０」で、かつ高スループットが望めるため、端末無線割当部２２３は１つの端末１００に割り当てる帯域は閾値よりも大きくすることができる。図１６は、以上のようなスケジューリングによって割り当てられた無線フレームの構成例を示す。斜線は、１つの端末１００に割り当てられた無線リソースの例を示す。
【００９０】
このようなスケジューリングにより、端末無線割当部２２３は、１つの端末１００に割り当てた帯域量を演算でき、端末無線状況把握部２２４に出力することができる。尚、端末無線割当部２２３は、割り当て無線リソースをＰＨＹフレーム作成部２２６に出力する。
【００９１】
端末無線状況把握部２２４は、端末無線割当部２２３からの帯域量に基づいて、例えば区間平均値（例えば、単位時間の区間平均値など。例えば、１００スロット分の区間平均値等でもよい）を演算することで、ある端末１００に対して送信に用いた帯域量の区間平均値を取得できる。これにより、端末無線状況把握部２２４は、端末無線割当部２２３からの帯域量に基づいて演算を行うことで、無線リンクに対する統計情報を得ることができる。かかる統計情報の詳細は後述する。尚、端末１００に対する帯域量の区間平均値の時間推移をグラフで示すと、例えば図１７に示すものとなる。例えば、図１７の太線で示すグラフが帯域量の区間平均値を示す。
【００９２】
品質選択処理部２２５は、ストリーミング帯域統計情報収集部２１６から出力されたストリーミング帯域統計情報と、端末無線状況把握部２２４から出力された無線リンクに対する統計情報とに基づいて、送信している品質が最適か否かを判別する。そして、品質選択処理部２２５は、最適と判別したとき、現在送信している品質のユーザデータを継続して送信するようにし、最適でないと判別したとき、他の品質のユーザデータを選択して送信する。
【００９３】
図１１に戻り、品質選択処理部２２５は、選択した又は継続する品質のユーザデータをユーザデータバッファ部２１４から読み出して、ＰＨＹフレーム作成部２２６に出力する。
【００９４】
ＰＨＹフレーム作成部２２６は、端末無線割当部２２３からのスケジュール情報に基づいて、品質選択処理部２２５から出力されるユーザデータに対して無線リソースを割り当ててＰＨＹフレームを作成する（例えば、図１６参照）。また、ＰＨＹフレーム作成部２２６は、Ｕｕ受信データからスケジューリング情報に従って無線信号を抽出し、無線信号処理部２２１に出力する。
【００９５】
Ｕｕ送信データ処理部２３６は、ＰＨＹフレームに対して変調等を行いＵｕ送信データ（又は無線信号）として端末１００に送信する。
【００９６】
図１２は端末１００の構成例を示す図である。端末１００は、Ｕｕ受信データ識別部１１０と、ＰＨＹ／ＭＡＣ／ＲＬＣ／ＰＤＣＰ処理部（以下、ＰＨＹ処理部）１１１と、ＲＲＣ処理部１１２と、ＩＰ処理部１１３と、ＲＴＰ／ＵＤＰ処理部１１４と、動画再生部１１５とを備える。また、動画再生部１１５は、フレーム抽出部１１６とデータバッファ部１１７とを備える。
【００９７】
Ｕｕ受信データ識別部１１０は、受信データが基地局２００から送信されたＵｕ受信データか否かを識別し、受信データがＵｕ受信データのとき、当該受信データをＰＨＹ処理部１１１に出力し、そうでないとき、例えば受信データを終端させる。
【００９８】
ＰＨＹ処理部１１１は、ＰＨＹプロトコルの制御信号等、信号系に対する処理を行う。例えば、ＰＨＹ処理部１１１はＵｕ受信データに含まれる制御信号、パイロット信号等を抽出して、制御信号に基づいて基地局２００から指示された所定の符号化方式等で復号処理等を行う。また、ＰＨＹ処理部１１１は、ＲＲＣ処理部１１２で測定されたＣＱＩ等の信号をＰＨＹプロトコル等の信号に変換してＵｕ送信データ処理部１２０に出力する。
【００９９】
ＲＲＣ処理部１１２は、例えば、ＰＨＹ処理部１１１から出力されたパイロット信号等の既知信号に基づいて、基地局２００と端末１００の間の無線リンクにおける無線品質を測定し、ＣＱＩ、ＰＭＩ、ＲＩ等としてＰＨＹ処理部１１１に出力する。これにより、ＣＱＩ等の無線品質は、基地局２００に送信される。
【０１００】
ＩＰ処理部１１３は、例えば、ＰＨＹ処理部１１１から出力されたＩＰパケットに対して、送信元アドレスや、送信先アドレス等を抽出し、ＲＴＰ／ＵＤＰ処理部１１４に出力する。また、ＩＰ処理部１１３は、ＲＴＰ／ＵＤＰ処理部１１４から出力されたＩＰパケットのヘッダに送信元アドレス等を挿入してＰＨＹ処理部１１１に出力する。
【０１０１】
ＲＴＰ／ＵＤＰ処理部１１４は、ＩＰ処理部１１３から出力されたＩＰパケットに対して、例えば、ＲＴＰプロトコルによるタイムスタンプ、ユーザデータ等を抽出し、動画再生部１１５に出力する。また、ＲＴＰ／ＵＤＰ処理部１１４は、動画再生部１１５から出力されたユーザデータ、タイムスタンプ等をＩＰパケット等の所定領域に挿入して、ＩＰ処理部１１３に出力する。
【０１０２】
動画再生部１１５は、ＲＴＰ／ＵＤＰ処理部１１４から出力されたユーザデータに対して、例えばＭＰＥＧ復号処理等を行い、基地局２００で選択された品質の映像を再生する。例えば、フレーム抽出部１１６は、ユーザデータから映像フレームを構成し、表示部に映像フレームを表示させる。また、データバッファ部１１７は、例えば、映像フレームを順次表示させるためにＭＰＥＧ復号後のユーザデータを記憶する。
【０１０３】
次に基地局２００における品質選択の動作例について説明する。図１８は動作例を示すフローチャートである。ただし、ＭＭＥ７００は、基地局２００等にＥ‐ＲＡＢ  ＩＤ（例えば、図４（Ａ)及び同図（Ｂ）参照）を送信し、基地局２００等はどのＴＥＩＤが高品質か標準品質か低品質かを取得できているものとする。
【０１０４】
基地局２００は、処理を開始すると（Ｓ１０）、入力ユーザデータの統計情報を収集し、ストリーミング帯域統計情報を作成する（Ｓ１１）。例えば、ストリーミング帯域統計情報収集部２１６は、ＧＴＰ‐Ｕ処理部２１２から出力される各品質のユーザデータに対する所定時間分のデータ量（又は帯域量）に基づいて夫々ストリーミング帯域統計情報を作成する。
【０１０５】
例えば、フレーム時間又は所定時間ｉ内において、ＧＴＰ‐Ｕ処理部２１２から出力される品質ｎのユーザデータ量をCniすると、平均入力ストリーミング（例えば、上述したユーザデータの帯域量の区間平均値）Cnaveは、
Cnave= a Cni-1+ Cni    …（１）
となる。ただし、ａは定数である。この平均入力ストリーミングCnaveに対して、入力されたユーザデータの変化率Cnderは、
Cnder= Cnave-b Cni    …（２）
となる。ただし、ｂは定数である。平均入力ストリーミングCnaveと、ユーザデータの変化率Cnderとを用いて、予測入力ストリーミングCnexは、
Cnex= Cnave+c Cnder    …（３）
と示すことができる。ただし、ｃは定数である。例えば、ストリーミング帯域統計情報収集部２１６は、各品質のユーザデータ量（又は帯域量）に対して、平均入力ストリーミングCnave、ユーザデータの変化率Cnder、及び予測入力ストリーミングCnexを式（１）〜式（３）を用いて夫々計算し、これらをストリーミング帯域統計情報として品質選択処理部２２５に出力する。例えば、ストリーミング帯域統計情報収集部２１６は、ＴＥＩＤに基づいて各品質のストリーミング帯域統計情報を計算し、ＴＥＩＤとともに当該統計情報を品質選択処理部２２５に出力する。
【０１０６】
次いで、基地局２００は、端末１００の無線状況を算出する（Ｓ１２）。例えば、端末無線割当部２２３が、端末１００から送信されたＣＱＩ等の無線品質情報を取得する。
【０１０７】
次いで、基地局２００は、端末１００に対する無線リソースの割り当てを決定する（Ｓ１３）。例えば、端末無線割当部２２３はＣＱＩ等に基づいて端末１００に対する無線帯域の割り当てを決定する（例えば、図１５）。
【０１０８】
次いで、基地局２００は、端末１００の統計情報を作成する（Ｓ１４）。例えば、端末無線状況把握部２２４は、端末無線割当部２２３から出力された端末１００に対する帯域量に基づいて、無線リンク（又は端末１００）に対する統計情報を作成する。
【０１０９】
例えば、フレーム時間又は所定時間ｉ内において、ある端末１００に割り当てた帯域量をUEiとすると、平均無線特性（例えば、上述した無線帯域の区間平均値）UEaveは、
UEave= a UEi-1+ UEi    …（４）
となる。この平均無線特性UEaveに対して、無線特性の変化率UEderは、
UEder= UEave-b UEi     …（５）
となる。平均無線特性UEaveと無線特性変化率UEderとを用いて、予測無線特性UEexは、
UEex= UEave+c UEder    …（６）
と示すことができる。例えば、端末無線状況把握部２２４は、端末無線割当部２２３からの帯域量UEiに基づいて、平均無線特性UEave、無線特性の変化率UEder、及び予測無線特性UEexを式（４）〜式（６）を用いて計算し、これらを端末１００に対する統計情報として品質選択処理部２２５に出力する。
【０１１０】
次いで、基地局２００は現在の品質に対する割り当ては適切か否かを判別する（Ｓ１５）。例えば、品質選択処理部２２５は、現在送信している品質のユーザデータに対応する予測入力ストリーミングCnex（例えば、標準品質のときはC2ex）と、予測無線特性UEexとを比較する。そして、品質選択処理部２２５は、この差分が「ｄ」以内であれば、現在送信しているユーザデータの品質は適切と判別する（Ｓ１５でＹｅｓ）。かかる場合、ユーザデータの送信に使用される予測値としてのユーザデータのデータ量と端末１００に対する無線特性（又は帯域量）とはほぼ同じレベルであるため、現在送信している品質は適切と判別する。一方、品質選択処理部２２５は、差分が「ｄ」よりも大きいときは、現在送信している品質のユーザデータは適切でないと判別する（Ｓ１５でＮｏ）。尚、例えば、品質選択処理部２２５は、送信しているユーザデータの品質のＴＥＩＤを保持し、ストリーミング帯域統計情報収集部２１６から出力されたＴＥＩＤと比較して、２つのＴＥＩＤに対応する品質の予測入力ストリーミングCnexを比較対象とする。
【０１１１】
図１７は、ユーザデータの帯域量の区間平均値と、端末１００に対する帯域量の区間平均値との時間推移の例を示すグラフである。図１７において、例えば、Ｊ点における端末１００に対する帯域量の区間平均値UEaveは「Ｊ１」で示すことができ、この時点から次の時点においてどの値となるかの予測値が、予測無線特性UEexである。また、Ｊ点における標準品質に対するユーザデータの帯域量の区間平均値Cnaveは「Ｊ２」となる。この「Ｊ２」から次の時点においてどの値となるかの予測値が、予測入力ストリーミングCnexとなる。例えば、差分は、グラフ上において次に予測される２つの区間平均値Cnex，Cnexの差分を示し、その差分が閾値「ｄ」以内か否かで、品質が適切か否かが判断される。例えば、品質選択処理部２２５は、２つの予測値Cnex，Cnexの差分が閾値以内のとき、現在の品質は適切、閾値より大きいとき現在の品質は適切ではないと判別する。
【０１１２】
基地局２００は、現在の品質割り当てが適切と判別したとき（Ｓ１５でＹｅｓ）、現品質のユーザデータの送信を継続する（Ｓ１６）。そして、基地局２００は一連の処理を終了する（Ｓ１７）。
【０１１３】
一方、基地局２００は、現在の品質の割り当てが適切でないと判別したとき（Ｓ１５でＮｏ）、現品質より良い品質の割り当てが適切か否かを判別する（Ｓ１８）。例えば、品質選択処理部２２５は、予測入力ストリーミングCnexと予測無線特性UEexとを比較して、予測入力ストリーミングCnexの方が予測無線特性UEexよりも大きいとき、無線特性の低下が予想されるため、現品質より良い品質の割り当ては適切でないと判別する。一方、品質選択処理部２２５は、予測無線特性UEexの方が予測入力ストリーミングCnexよりも同じか大きいとき、無線特性の上昇が予想され、現品質より良い品質の割り当てが適切を判別する。例えば、図１７の例では、Ｊ点において、予測入力ストリーミングC2exの方が予測無線特性UEexよりも大きく、品質選択処理部２２５は現品質より良い品質の割り当ては適切でないと判別する（Ｓ１８でＮｏ）。一方、Ｋ点においては、予測無線特性UEexの方が予測入力ストリーミングC1exよりも大きいため、品質選択処理部２２５は現品質より良い品質の割り当ては適切と判別する（Ｓ１８でＹｅｓ）。
【０１１４】
基地局２００は、現品質より良い品質の割り当てが適切と判別したとき（Ｓ１８でＹｅｓ）、適切と判別した品質のユーザデータを選択する（Ｓ１９）。一方、基地局２００は、現品質より良い品質の割り当てが適切でないと判別したとき（Ｓ１８でＮｏ）、現品質より品質の劣るユーザデータを選択する（Ｓ２０）。図１７の例では、品質選択処理部２２５は、Ｊ点においては、低品質のユーザデータを選択し、Ｋ点においては標準品質のユーザデータを選択する。例えば、品質選択処理部２２５は、選択した品質のＴＥＩＤに対応するユーザデータをユーザデータバッファ２１４から読み出すことで当該処理を行う。
【０１１５】
基地局２００は、選択された品質のユーザデータを端末１００に送信し、一連の処理を終了する（Ｓ１７）。このとき、基地局２００は、上述したように、ユーザデータを選択して切り替える際にＰフレームとＩフレームとの間のタイミングにおいて切り替え、更に、時間的に連続するように切り替える。
【０１１６】
このように、本基地局２００は、端末１００（又は無線区間）に対する統計情報と、入力される各品質のユーザデータの統計情報とに基づいて、複数の品質のユーザデータから最適な品質のユーザデータを選択して送信する。従って、基地局２００と端末１００との間の無線区間において、一つの品質のユーザデータが送信されるため、複数品質のユーザデータを全て送信する場合よりも無線帯域に無駄が生じず、無線帯域の有効活用を図ることができる。また、基地局２００は、無線区間における無線特性と有線区間に転送されるデータ量との２つの特性に基づいて品質を選択しているため、無線特性とデータ量の双方に対応する最適な品質のユーザデータを選択し送信できる。更に、基地局２００は２つの予測値Cnex，Cnexに基づいて選択しているため、端末１００から品質要求を受けて品質を選択する場合と比較して、現在の無線状況と入力データ量に適合した適切な品質を選択できる。
【０１１７】
上述した例では、ストリーミングサーバ６００とＰＤＮ‐ＧＷ４００とは別々の装置として説明した。例えば、ストリーミングサーバ６００とＰＤＮ‐ＧＷ４００とが１つの装置でもよい。例えば、ＰＤＮ‐ＧＷ４００は、ストリーミングサーバ６００のコンテンツデータ記憶部６１０、フレーム構成部６１１等を備えるようにしてもよい。或いはストリーミングサーバ６００は、ＰＤＮ‐ＧＷ４００の各構成を備えるようにしてもよい。
【０１１８】
図１９は基地局２００の他の構成例を示す図である。基地局２００は、統計情報生成部２５０と、品質選択処理部２５１と、無線送信部２５２とを備える。
【０１１９】
統計情報生成部２５０は、端末１００に関する第１の統計情報と第１又は第２の品質のユーザデータに関する第２の統計情報とを生成する。統計情報生成部２５０は、例えば、図１１において、端末無線状況把握部２２４とストリーミング帯域統計情報収集部２１６とに対応する。
【０１２０】
品質選択処理部２５１は、第１及び第２の統計情報に基づいて、第１又は第２の品質のユーザデータを選択する。品質選択処理部２５１は、例えば、図１１において、品質選択処理部２２５に対応する。
【０１２１】
無線送信部２５２は、選択された第１又は第２の品質のユーザデータを端末に無線送信する。無線送信部２５２は、例えば、図１１において、ＰＨＹフレーム作成部２２６とＵｕ送信データ処理部２３６とに対応する。
【０１２２】
例えば、基地局２００は第１又は第２の品質のユーザデータを送信するため、第１及び第２の品質のユーザデータを双方とも送信する場合と比較して、データ送信量が少なくなり、無線帯域の有効活用化を図ることができる。また、基地局２００は、第１の統計情報と第２の統計情報とに基づいて、第１又は第２の品質データを選択して送信するため、端末１００が切替要求を送信する場合と比較して、無線変化の状況に対応したユーザデータを送信できる。よって、基地局２００は、最適な品質のデータを選択して端末１００に送信できる。
【０１２３】
以上まとめると付記のようになる。
【０１２４】
（付記１）
端末装置と無線通信を行う基地局装置において、
前記端末装置に関する第１の統計情報と、第１又は第２の品質のユーザデータに関する第２の統計情報を生成する統計情報生成部と、
前記第１及び第２の統計情報に基づいて、前記第１又は第２の品質のユーザデータを選択する品質選択処理部と、
選択された前記第１又は第２の品質のユーザデータを前記端末装置に無線送信する無線送信部と
を備えることを特徴とする基地局装置。
【０１２５】
（付記２）
前記統計情報生成部は、前記端末装置に割り当てられた無線リソースの帯域量に関する第１の予測値を前記第１の統計情報とし、前記第１又は第２の品質のユーザデータのデータ量に関する第２の予測値を前記第２の統計情報とすることを特徴とする付記１記載の基地局装置。
【０１２６】
（付記３）
前記品質選択処理部は、前記第１の統計情報と前記第１の品質のユーザデータに関する第２の統計情報との差分が閾値以上のとき、前記第２の品質のユーザデータを選択し、前記差分が閾値より小さいとき、前記第１の品質のユーザデータを選択することを特徴とする付記２記載の無線基地局装置。
【０１２７】
（付記４）
前記品質選択処理部は、前記第１の統計情報が前記第１の品質のユーザデータに関する第２の統計情報より大きいとき、前記第１の品質より品質が良い前記第２の品質のユーザデータを選択し、前記第１の統計情報が前記第１の品質のユーザデータに関する第２の統計情報と同じか低いとき、前記第１の品質と品質が同じもしくは前記第１の品質より品質が良くない前記第２の品質のユーザデータを選択することを特徴とする付記３記載の無線基地局装置。
【０１２８】
（付記５）
前記品質選択処理部は、前記第２の品質のユーザデータを選択して前記第１の品質のユーザデータから前記第２の品質のユーザデータに切り替えるとき、切り替え後の前記第２の品質のユーザデータが属するフレームが、フレーム内符号化により符号化されたフレームとなるように切り替えることを特徴とする付記１記載の基地局装置。
【０１２９】
（付記６）
前記品質選択処理部は、前記第２の品質のユーザデータを選択して前記第１の品質のユーザデータから前記第２の品質のユーザデータに切り替えるとき、切り替え前の前記第１の品質のユーザデータが属するフレームと切り替え後の前記第２の品質のユーザデータが属するフレームとが連続した時間となるように切り替えることを特徴とする付記１記載の基地局装置。
【０１３０】
（付記７）
前記基地局装置に接続された上位装置から、前記第１及び第２の品質のユーザデータを含むパケットを更にカプセル化した第１のパケットが出力され、
前記品質選択処理部は、前記第１のパケットに含まれ、前記第１のパケットの送信先を示す前記端末装置を識別するための第１の識別子により、前記第１及び第２の品質のユーザデータを識別し、前記第１又は第２の品質のユーザデータを選択することを特徴とする付記１記載の基地局装置。
【０１３１】
（付記８）
前記品質選択処理部は、前記端末装置に無線送信するユーザデータを前記上位装置と前記基地局装置との間において識別するための第２の識別子と対応して設定された前記第１の識別子に基づいて、前記第１及び第２の品質のユーザデータを識別することを特徴とする請求項７記載の基地局装置。
【０１３２】
（付記９）
更に、前記端末装置に対して前記無線リソースを割り当て、前記端末装置に対する割り当てられた前記帯域量を決定する端末無線割当部を備え、
前記統計情報生成部は、前記決定された帯域量に基づいて前記第１の統計情報を演算することを特徴とする付記２記載の基地局装置。
【０１３３】
（付記１０）
前記統計情報生成部は、前記帯域量の区間平均値を算出して前記区間平均値の変化率を算出し、当該変化率に基づいて前記帯域量の区間平均値を予測し、前記予測した区間平均値を前記第１の予測値とすることを特徴とする付記２記載の基地局装置。
【０１３４】
（付記１１）
前記統計情報生成部は、前記ユーザデータ量の区間平均値を算出して前記区間平均値の変化率を演算し、当該変化率に基づいて前記ユーザデータ量の区間平均値を予測し、前記予測した区間平均値を前記第２の予測値とすることを特徴とする付記２記載の基地局装置。
【０１３５】
（付記１２）
前記品質選択処理部は、前記基地局装置に接続された上位装置から送信されたフレーム識別情報に基づいて、前記フレーム内符号化により符号化されたフレームを識別することを特徴とする付記５記載の基地局装置。
【０１３６】
（付記１３）
前記品質選択処理部は、前記基地局装置に接続された上位装置から送信された時間情報に基づいて、連続した時間となるように切り替えることを特徴とする付記６記載の基地局装置。
【０１３７】
（付記１４）
前記第１の識別子は、前記第１のパケットの送信先である前記端末装置を識別する識別子であり、前記第２の識別子は前記上位装置と前記基地局装置との間で前記ユーザデータを識別する識別子であることを特徴とする付記８記載の基地局装置。
【０１３８】
（付記１５）
端末装置と無線通信を行う基地局装置における無線送信方法であって、
前記端末装置に関する第１の統計情報と、第１又は第２の品質のユーザデータに関する第２の統計情報を生成し、
前記第１及び第２の統計情報に基づいて、前記第１又は第２の品質のユーザデータを選択し、
選択された前記第１又は第２の品質のユーザデータを前記端末装置に無線送信する
ことを特徴とする無線送信方法。
【０１３９】
（付記１６）
端末装置と、上位装置と、前記上位装置に接続され、前記端末装置と無線通信を行う基地局装置とを備える無線通信システムにおいて、
前記上位装置は第１及び第２の品質のユーザデータを前記基地局装置に送信する送信部を備え、
前記基地局装置は、前記端末装置に関する第１の統計情報と第１又は第２の品質のユーザデータに関する第２の統計情報を生成する統計情報生成部と、前記第１及び第２の統計情報に基づいて、前記第１又は第２の品質のユーザデータを選択する品質選択処理部と、選択された前記第１又は第２の品質のユーザデータを前記端末装置に無線送信する無線送信部とを備えることを特徴とする無線通信システム。
【符号の説明】
【０１４０】
１０：無線通信システム                １００：端末装置（ＵＥ）
１１０：Ｕｕ受信データ識別部          １１１：ＰＨＹ／ＭＡＣ／ＲＬＣ／ＰＤＣＰ処理部
１１２：ＲＲＣ処理部                  １１５：動画再生部
２００：基地局装置（ｅＮｏｄｅＢ）    ２１０：Ｓ１受信データ識別部
２１２：ＧＴＰ‐Ｕ処理部              ２１３：時間情報抽出部
２１４：ユーザデータバッファ部        ２１５：フレーム認識部
２１６：ストリーミング帯域統計情報収集部
２２０：Ｕｕ受信データ識別部          ２２１：無線信号処理部
２２３：端末無線割当部                ２２４：端末無線状況把握部
２２５：品質選択処理部                ２２６：ＰＨＹフレーム作成部
２３６：Ｕｕ送信データ処理部          ２５０：統計情報生成部
２５１：品質選択処理部                ２５２：無線送信部
３００：Ｓ‐ＧＷ                      ４００：ＰＤＮ‐ＧＷ                  
４１０：ＳＧｉ受信データ識別部（Ｓ５受信データ識別部）
４１１：品質分離処理部                ４１２：時間情報処理部
４１３：フレーム認識部                ４１４：ＧＴＰ‐Ｕ処理部
４１５：Ｓ５送信データ処理部（Ｓ１送信データ処理部）
６００：ストリーミングサーバ          ６１２：ＲＴＰ／ＵＤＰ処理部
７００：ＭＭＥ                        ７１３：ベアラ処理部
７１４：Ｓ１１送受信データ処理部      ７１６：Ｓ１送受信データ処理部
８００：ＨＳＳ
【図１】
2011216950.tif 000003
【図２】
2011216950.tif 000004
【図３】
2011216950.tif 000005
【図４】
2011216950.tif 000006
【図５】
2011216950.tif 000007
【図６】
2011216950.tif 000008
【図７】
2011216950.tif 000009
【図８】
2011216950.tif 000010
【図９】
2011216950.tif 000011
【図１０】
2011216950.tif 000012
【図１１】
2011216950.tif 000013
【図１２】
2011216950.tif 000014
【図１３】
2011216950.tif 000015
【図１４】
2011216950.tif 000016
【図１５】
2011216950.tif 000017
【図１６】
2011216950.tif 000018
【図１７】
2011216950.tif 000019
【図１８】
2011216950.tif 000020
【図１９】
2011216950.tif 000021